(57)【特許請求の範囲】
【請求項１】
表示画面を有する表示部と、
前記表示画面上の接触を検出する検出部と、
電源投入後、自機器の起動前に、前記検出部によって所定の接触状態が検出された場合に、前記所定の接触状態が検出されない場合に起動させる第１の起動モードとは異なる第２の起動モードで自機器を起動させる制御部と、
を備え、
前記検出部は、
前記表示画面上の各位置の接触／非接触の変化を検出する第１の検出モードと、前記表示画面上の接触／非接触の分布を検出する第２の検出モードとを有し、
前記制御部は、
前記第２の検出モードで前記所定の接触状態を検出させるように前記検出部を制御する
電子機器。
【請求項２】
請求項１に記載の電子機器において、
前記制御部は、
前記第１の起動モードで自機器を起動させるときは、前記第１の検出モードで動作するように前記検出部を制御し、
前記第２の起動モードで自機器を起動させるときは、前記第２の検出モードで動作するように前記検出部を制御する
電子機器。
【請求項３】
表示画面を有する表示部と、
前記表示画面上の接触を検出する検出部と、
電源投入後、自機器の起動前に、前記検出部によって所定の接触状態が検出された場合に、前記所定の接触状態が検出されない場合に起動させる第１の起動モードとは異なる第２の起動モードで自機器を起動させる制御部と、
を備え、
前記検出部は、
前記表示画面上の各位置の接触／非接触の変化を検出する検出モードを有し、
前記制御部は、
前記検出モードで前記所定の接触状態を検出させるように前記検出部を制御する
電子機器。
【請求項４】
請求項３に記載の電子機器において、
前記検出部は、
前記接触／非接触の変化を検出する検出モードである第１の検出モードに加え、前記表示画面上の接触／非接触の分布を検出する第２の検出モードを更に有し、
前記制御部は、
前記第１の起動モードで自機器を起動させるときは、前記第１の検出モードで動作するように前記検出部を制御し、
前記第２の起動モードで自機器を起動させるときは、前記第２の検出モードで動作するように前記検出部を制御する
電子機器。
【請求項５】
請求項１から請求項４のいずれか一項に記載の電子機器において、
前記所定の接触状態は、
前記表示画面の上下左右に４分割した各分割領域上に対する１点ずつの接触である
電子機器。
【発明の詳細な説明】
【技術分野】
【０００１】
本発明は、電子機器に関するものである。
【背景技術】
【０００２】
従来、通常モードと異なる解析モード（デバックモード、メンテナンスモード）で起動する電子機器が知られている（例えば、特許文献１参照）。
【先行技術文献】
【特許文献】
【０００３】
【特許文献１】特開２０１０−００９４５４号公報
【発明の概要】
【発明が解決しようとする課題】
【０００４】
しかしながら、操作によって解析モードで起動させる際は、本体のハードキーによる操作、ＵＳＢ等によって接続された他の機器上による操作等が必要になる。従って、携帯サイズの電子機器を解析モードで起動させる場合、設計時におけるハードキーのスペース確保、或いは、使用時における他の機器の準備等の問題が生じる。また、解析モードで起動させる手順によっては、ユーザが、意図せず偶然に解析モードで起動させてしまったという問題もある。
本発明は、他の機器、及び、本体のハードキーを用いずに解析モードで起動する電子機器であって、意図しない場合には容易に解析モードで起動しない電子機器を提供する。
【課題を解決するための手段】
【０００５】
上記問題を解決するために、本発明の一態様である電子機器は、表示画面を有する表示部と、前記表示画面上の接触を検出する検出部と、電源投入後、自機器の起動前に、前記検出部によって所定の接触状態が検出された場合に、前記所定の接触状態が検出されない場合に起動させる第１の起動モードとは異なる第２の起動モードで自機器を起動させる制御部と、を備え、前記検出部は、前記表示画面上の各位置の接触／非接触の変化を検出する第１の検出モードと、前記表示画面上の接触／非接触の分布を検出する第２の検出モードとを有し、前記制御部は、前記第２の検出モードで前記所定の接触状態を検出させるように前記検出部を制御するようにしてもよい。
【０００７】
上記電子機器において、前記制御部は、前記第１の起動モードで自機器を起動させるときは、前記第１の検出モードで動作するように前記検出部を制御し、前記第２の起動モードで自機器を起動させるときは、前記第２の検出モードで動作するように前記検出部を制御するようにしてもよい。
【０００８】
上記問題を解決するために、本発明の一態様である電子機器は、表示画面を有する表示部と、前記表示画面上の接触を検出する検出部と、電源投入後、自機器の起動前に、前記検出部によって所定の接触状態が検出された場合に、前記所定の接触状態が検出されない場合に起動させる第１の起動モードとは異なる第２の起動モードで自機器を起動させる制御部と、を備え、前記検出部は、前記表示画面上の各位置の接触／非接触の変化を検出する検出モードを有し、前記制御部は、前記検出モードで前記所定の接触状態を検出させるように前記検出部を制御するようにしてもよい。
【０００９】
上記電子機器において、前記検出部は、前記接触／非接触の変化を検出する検出モードである第１の検出モードに加え、前記表示画面上の接触／非接触の分布を検出する第２の検出モードを更に有し、前記制御部は、前記第１の起動モードで自機器を起動させるときは、前記第１の検出モードで動作するように前記検出部を制御し、前記第２の起動モードで自機器を起動させるときは、前記第２の検出モードで動作するように前記検出部を制御するようにしてもよい。
【００１０】
上記電子機器において、前記所定の接触状態は、前記表示画面の上下左右に４分割した各分割領域上に対する１点ずつの接触であってもよい。
【発明の効果】
【００１１】
本発明によれば、他の機器、及び、本体のハードキーを用いずに解析モードで起動する電子機器であって、意図しない場合には容易に解析モードで起動しない電子機器を提供することができる。
【図面の簡単な説明】
【００１２】
【図１】本発明の第１の実施形態による電子機器１の概略外観図、及び、機能ブロック図の一例である。
【図２】制御部３０の起動モードの決定タイミングについて説明するための説明図である。
【図３】電子機器１の処理の流れを示すフローチャートの一例である。
【図４】表示画面１００への接触について説明するための説明図である。
【図５】本発明の第２の実施形態による電子機器２の処理の流れを示すフローチャートの一例である。
【図６】本発明の第３の実施形態による電子機器３の処理の流れを示すフローチャートの一例である。
【発明を実施するための形態】
【００１３】
（第１の実施形態）
以下、図面を参照しながら本発明の第１の実施形態について説明する。図１は、本発明の第１の実施形態による電子機器１の概略外観図（ａ）、及び、機能ブロック図（ｂ）の一例である。電子機器１は、図１（ａ）（ｂ）に示すように、表示部１０、検出部２０、制御部３０、及び、電源部９０を備える。また、電子機器１は、非図示の記憶部、及び、操作ボタン類等を備える。
【００１４】
電源部９０は、操作ボタンの操作に応じて電子機器１の各部に電力を供給する。制御部３０は、自機器１を起動させるとともに、起動中及び起動後において、他の各部を制御する。なお、制御部３０の詳細は後述する。
【００１５】
表示部１０は、操作者からの指示を受け付ける表示画面（タッチパネル）１００を有する（含む）。表示部１０は、電源部９０からの給電によって表示画面１００を立ち上げるとともに、制御部３０に指示に従って種々の情報を表示する。
【００１６】
なお、図１（ａ）の領域１００−１、１００−２、１００−３、１００−４は、便宜上、表示画面１００の上下左右に４分割した分割領域である。即ち、表示画面１００上の各位置は、分割領域１００−１、１００−２、１００−３、１００−４の何れかに属する。
【００１７】
検出部２０は、電源部９０から給電される複数の電極を備える。複数の電極は、表示画面１００上の各位置に対応し、表示画面１００上の各位置における接触を検出する。即ち、検出部２０は、各電極の静電容量の値に基づいて表示画面１００上の各位置の接触の有無を検出する。
【００１８】
検出部２０は、動作（検出態様）が異なる、以下の２つの検出モード（第１の検出モード／第２の検出モード）を有する。検出部２０の検出モードは、制御部３０によって制御される。
【００１９】
（第１の検出モード）
第１の検出モードは、静電容量の変化（シグナルイン）を検出する。つまり、検出部２０は、第１の検出モードで動作する場合、表示画面１００上の各位置の接触／非接触の変化を検出する。従って、例えば、ある位置に、検出開始前（検出部２０の動作の開始前）から指が接触し続けているような場合、当該位置の静電容量は一定で変化がないため、検出部２０は、当該位置に対する接触を検出しない。第１の検出モードは、第２の検出モードに比べ処理負荷が少ないため、通常時の使用に好適なモードである。
【００２０】
（第２の検出モード）
第２の検出モードは、静電容量の状態（静電容量の波形の分布状態）を検出する。つまり、検出部２０は、第２の検出モードで動作する場合、表示画面１００上の接触／非接触の分布（現在の接触／非接触の別）を検出する。従って、例えば、ある位置に、検出開始前から指が接触し続けているような場合であっても、検出部２０は、当該位置の静電容量の値から、当該位置に対する接触を検出する。第２の検出モードは、第１の検出モードに比べ処理負荷が大きいが、表示部１０の検査などの電気機器１自体の動作の解析に好適なモードである。
【００２１】
制御部３０は、電源部９０からの給電によって自機器１を起動させる。具体的には、制御部３０は、自機器１の起動中に、表示画面１００に対する所定の接触がなかった場合には、第１の起動モード（通常モード）にて自機器１を起動させる一方、所定の接触があった場合には、第２の起動モード（解析モード）で自機器１を起動させる。つまり、制御部３０は、電源投入後、自機器１の起動前に、検出部２０によって所定の接触状態（後述）が検出された場合、当該所定の接触状態が検出されなかった場合に起動させる第１の起動モードとは異なる第２の起動モードで自機器１を起動させる。
【００２２】
また、検出部２０の検出モードには、上述の如く第１の検出モードと第２の検出モードとがあるが、制御部３０は、第２の検出モードで所定の接触状態を検出させるように検出部２０を制御する。
【００２３】
従って、制御部３０は、電源投入後（具体的には検出開始後）に表示画面１００に指が始めて接触した場合であっても、電源投入前（具体的には検出開始前）から表示画面１００に指が接触し続けている場合であっても、当該接触の状態が検出された旨の通知を検出部２０から取得する。
【００２４】
つまり、制御部３０は、電源投入後に形成された（作られた）所定の接触状態、又は、電源投入前から形成され維持されている所定の接触状態の少なくとも一方を検出部２０からの通知によって認識した場合には、第２の起動モードで自機器１を起動させる。一方、制御部３０は、何れも認識しなかった場合には、第１の起動モードで自機器１を起動させる。
【００２５】
また、制御部３０は、起動させる起動モードに応じて、検出部２０の検出モードを制御する。具体的には、制御部３０は、第１の起動モード（通常モード）で自機器１を起動させるときは、第２の検出モードに比べ処理負荷が少ない第１の検出モードで動作するように検出部２０を制御する。つまり、制御部３０は、検出部２０の検出モードを第２の検出モードから第１の検出モードに切り替える。一方、制御部３０は、第２の起動モード（解析モード）で自機器１を起動させるときは、自機器１の動作の解析に好適な第２の検出モードで動作するように検出部２０を制御する。
【００２６】
図２は、制御部３０の起動モードの決定タイミングについて説明するための説明図である。図２において、時刻Ｔ１は自機器１の電源オンの時刻、時刻Ｔ２は起動モード選択時間の開始時刻、時刻Ｔ３は起動モード選択時間の終了時刻、時刻Ｔ４は自機器１の起動開始時刻を表している。なお、起動モード選択時間とは、操作者が起動モードを選択するための所定の時間である。
【００２７】
時刻Ｔ１〜時刻Ｔ２の時間は、起動モード選択時間のための準備時間である。当該時間において、表示画面１００の立ち上げ、検出部２０の検出モードの設定などが行われる。例えば、制御部３０は、検出部２０の検出モードを第２の検出モードに設定する。
【００２８】
時刻Ｔ２〜時刻Ｔ３の時間は、起動モード選択時間である。
検出部２０は、当該時間において、静電容量の状態を検出可能な第２の検出モードで、表示画面１００への接触を検出する。また、制御部３０は、当該時間において、自機器１を起動させる起動モードを決定する。
具体的には、時刻Ｔ２後、時刻Ｔ３前のある時刻ＴＹに操作者が所定の接触状態となるように表示画面１００に触れた場合、検出部２０は、当該所定の接触状態の検出時（時刻ＴＹ）に、当該所定の接触状態を検出し、制御部３０に通知する。制御部３０は、検出部２０による検出時（通知時）に、自機器１を起動させる起動モードとして第２の起動モードを決定する。
また、時刻Ｔ２前のある時刻ＴＸから操作者が所定の接触状態を維持するように表示画面１００に触れ続けている場合、検出部２０は、時刻Ｔ２に、当該所定の接触状態を検出し、制御部３０に通知する。制御部３０は、時刻Ｔ２に（通知時）に、自機器１を起動させる起動モードとして第２の起動モードを決定する。
なお、制御部３０は、時刻Ｔ２〜時刻Ｔ３の時間内に、検出部２０が所定の接触状態を検出しなかった場合（通知無の場合）、時刻Ｔ２〜時刻Ｔ３の時間の経過後に、自機器１を起動させる起動モードとして第１の起動モードを決定する。
【００２９】
時刻Ｔ３〜時刻Ｔ４の時間は、起動モード選択時間の終了後、自機器１の起動前の時間である。当該時間においては、制御部３０は、所定の接触状態を認識しない。例えば、制御部３０は、検出動作を停止させるように検出部２０を制御するか、又は、検出部２０の検出動作は停止させずに、検出部２０からの通知を無視する。なお、検出部２０からの通知を無視する態様の場合には、検出部２０の検出モードは任意であるが、制御部３０は、自機器１を起動させる起動モードとして第１の起動モードを決定している場合には、検出部２０の検出モードを第２の検出モードから第１の検出モードに切り替えるように制御してもよい。
【００３０】
時刻Ｔ４以降の時間は、自機器１の起動中、及び、起動後の時間である。
制御部３０は、起動モード選択時間に自機器１を起動させる起動モードとして第１の起動モードを決定している場合（即ち、検出部２０が所定の接触状態を検出していなかった場合）には、第１の起動モードで自機器１を起動させる。
また、制御部３０は、自機器１を第１の起動モードで起動させる場合、検出部２０の検出モードを第１の検出モードとする。即ち、制御部３０は、時刻Ｔ３〜時刻Ｔ４の時間において、検出部２０の検出動作を停止させるように制御していた場合には第１の検出モードで動作するように検出部２０を制御し、第２の検出モードから第１の検出モードに切り替えていなかった場合には第２の検出モードから第１の検出モードに切り替えるように制御してもよい。
【００３１】
一方、制御部３０は、起動モード選択時間に自機器１を起動させる起動モードとして第２の起動モードを決定している場合（即ち、検出部２０が所定の接触状態を検出していた場合）には、第２の起動モードで自機器１を起動させる。
また、制御部３０は、自機器１を第２の起動モードで起動させる場合、検出部２０の検出モードを第２の検出モードとする。即ち、制御部３０は、時刻Ｔ３〜時刻Ｔ４の時間において、検出部２０の検出動作を停止させるように制御していた場合には第２の検出モードで動作するように検出部２０を制御する。
【００３２】
なお、図２は、制御部３０が、所定の時間（起動モード選択時間）に、自機器１を起動させる起動モードとして第２の起動モードを決定する例であるが、制御部３０は、所定の時間の経過後（例えば、時刻Ｔ３〜時刻Ｔ４の間のある時刻）に、自機器１を起動させる起動モードとして第２の起動モードを決定してもよい。つまり、制御部３０は、起動モード選択時間に所定の接触状態を検出した旨を検出部２０から通知されていた場合には、起動モード選択時間の経過後に、自機器１を起動させる起動モードとして第２の起動モードを決定し、通知されていなかった場合には自機器１を起動させる起動モードとして第１の起動モードを決定してもよい。
【００３３】
図３は、電子機器１の処理の流れを示すフローチャートの一例である。なお、図３に示すフローチャートは電源投入によって開始する。制御部３０は、検出部２０の検出モードを第２の検出モードに設定する（ステップＳ１０）。制御部３０は、表示画面１００における所定の接触状態が検出部２０によって検出されたか否かを判断する（ステップＳ２０）。
【００３４】
ステップＳ２０において、制御部３０は、所定の接触状態が検出部２０によって検出されていないと判断した場合（ステップＳ２０：Ｎｏ）、起動モード選択時間は終了（経過）したか否かを判断する（ステップＳ４０）。ステップＳ４０において、制御部３０は、起動モード選択時間は終了していないと判断した場合（ステップＳ４０：Ｎｏ）、ステップＳ２０に戻る。
【００３５】
一方、ステップＳ２０において、制御部３０は、所定の接触状態が検出部２０によって検出されたと判断した場合（ステップＳ２０：Ｙｅｓ）、自機器１を起動させる起動モードとして第２の起動モードを決定する（ステップＳ３０）。ステップＳ３０に続いて、制御部３０は、起動モード選択時間は終了（経過）したか否かを判断する（ステップＳ４２）。ステップＳ４２において、制御部３０は、起動モード選択時間は終了していないと判断した場合（ステップＳ４２：Ｎｏ）、ステップＳ４２に戻る。
【００３６】
ステップＳ４０において、制御部３０は、起動モード選択時間は終了したと判断した場合（ステップＳ４０：Ｙｅｓ）、即ち、起動モード選択時間において所定の接触状態が検出部２０によって検出されなかったと判断した場合、制御部３０は、自機器１を起動させる起動モードとして第１の起動モードを決定する（ステップＳ５０）。ステップＳ５０に続いて、制御部３０は、検出部２０の検出モードを第２の検出モードから第１の検出モードに切り替えるように制御する（ステップＳ６０）。ステップＳ６０に続いて、制御部３０は、自機器１を第１の起動モードで起動させる（ステップＳ７０）。そして、図３に示すフローチャートは終了する。
【００３７】
ステップＳ４２において、制御部３０は、起動モード選択時間は終了したと判断した場合（ステップＳ４２：Ｙｅｓ）、制御部３０は、自機器１を第２の起動モードで起動させる（ステップＳ９０）。そして、図３に示すフローチャートは終了する。
【００３８】
なお、図３に示すフローチャートでは、制御部３０は、所定の接触状態が検出部２０によって検出されたと判断した場合に（ステップＳ２０：Ｙｅｓ）、自機器１を起動させる起動モードとして第２の起動モードを決定しているが（ステップＳ３０）、制御部３０は、起動モード選択時間の終了後に（ステップＳ４２：Ｙｅｓ）、自機器１を起動させる起動モードとして第２の起動モードを決定してもよい。図５及び図６に示すフローチャート（後述）においても同様である。
【００３９】
図４は、表示画面１００への接触について説明するための説明図である。検出部２０によって検出される所定の接触状態は、具体的には、図４（ａ）に示すように、表示画面１００の各分割領域１００−１、１００−２、１００−３、１００−４に対する１点ずつの接触である。図４（ａ）に示す円Ａ、Ｂ、Ｃ、Ｄは、接触位置を表している。
つまり、起動モード選択時間に、操作者によって図４（ａ）に示す接触状態が作られた場合（例えば、操作者が分割領域１００−１、１００−２、１００−３、１００−４の夫々に対して自身の４本の指を使って同時に触れた場合）、検出部２０は当該接触を検出し、制御部３０は検出部２０からの通知によって所定の接触状態であると認識する。
【００４０】
図４（ｂ）は、所定の接触状態が起動モード選択時間内に作られた様子を表している。図４（ｃ）は、起動モード選択時間前に所定の接触状態が作られ、起動モード選択時間においても維持されている様子を表している。図４（ｄ）は、所定の接触状態が作られなかった様子を表している。
第１の実施形態による電子機器１の制御部３０は、上述の如く、第２の検出モードで所定の接触状態を検出させるように検出部２０を制御する。従って、検出部２０は図４（ｂ）の場合であっても図４（ｃ）の場合であっても接触を検出するため、制御部３０は図４（ｂ）の場合であっても図４（ｃ）の場合であっても所定の接触状態であると認識し、第２の起動モードで自機器１を起動させる。一方、制御部３０は、図４（d）の場合には所定の接触状態であると認識せず、第１の起動モードで自機器１を起動させる。
【００４１】
（第２の実施形態）
以下、本発明の第２の実施形態について説明する。本発明の第２の実施形態による電子機器２は、表示部１０、検出部２１、制御部３１、及び、電源部９０を備える。また、電子機器２は、記憶部、及び、操作ボタン類等を備える。即ち、電子機器２は、第１の実施形態による電子機器１が備える検出部２０及び制御部３０に代えて検出部２１及び制御部３１を備える点が異なる。以下、上記差異部分を説明する。
【００４２】
検出部２１は、第１の実施形態による電子機器１の検出部２０における第１の検出モードを有し、検出部２０における第２の検出モードを有しない。即ち、検出部２１は、表示画面１００上の各位置の接触／非接触の変化を検出する。従って、検出部２１は、電源投入後（具体的には検出開始後）に表示画面１００に指が始めて接触した場合には当該接触を検出するが、電源投入前（具体的には検出開始前）から表示画面１００に指が接触し続けている場合には当該接触を検出しない（例えば、検出部２１は、図４（ｂ）の接触を検出するが、図４（ｃ）の接触は検出しない）。
【００４３】
従って、制御部３１は、電源投入後に形成された（作られた）所定の接触状態を検出部２１からの通知によって認識した場合に、第２の起動モードで自機器２を起動させる。一方、制御部３１は、認識しなかった場合には、第１の起動モードで自機器２を起動させる。なお、検出部２１の検出モードは上述の如く１つであるため、制御部３１は、検出部２１の検出モードを切り替えるような機能を有しなくてもよい。
【００４４】
図５は、電子機器２の処理の流れを示すフローチャートの一例である。なお、図５に示すフローチャートは電源投入によって開始する。制御部３１は、表示画面１００における所定の接触状態が検出部２１によって検出されたか否かを判断する（ステップＳ１２０）。
【００４５】
ステップＳ１２０において、制御部３１は、所定の接触状態が検出部２１によって検出されていないと判断した場合（ステップＳ１２０：Ｎｏ）、起動モード選択時間は終了（経過）したか否かを判断する（ステップＳ１４０）。ステップＳ１４０において、制御部３１は、起動モード選択時間は終了していないと判断した場合（ステップＳ１４０：Ｎｏ）、ステップＳ１２０に戻る。
【００４６】
一方、ステップＳ１２０において、制御部３１は、所定の接触状態が検出部２１によって検出されたと判断した場合（ステップＳ１２０：Ｙｅｓ）、自機器２を起動させる起動モードとして第２の起動モードを決定する（ステップＳ１３０）。ステップＳ１３０に続いて、制御部３１は、起動モード選択時間は終了（経過）したか否かを判断する（ステップＳ１４２）。ステップＳ１４２において、制御部３１は、起動モード選択時間は終了していないと判断した場合（ステップＳ１４２：Ｎｏ）、ステップＳ１４２に戻る。
【００４７】
ステップＳ１４０において、制御部３１は、起動モード選択時間は終了したと判断した場合（ステップＳ１４０：Ｙｅｓ）、制御部３１は、自機器２を起動させる起動モードとして第１の起動モードを決定する（ステップＳ１５０）。ステップＳ１５０に続いて、制御部３１は、自機器２を第１の起動モードで起動させる（ステップＳ１７０）。そして、図５に示すフローチャートは終了する。
【００４８】
ステップＳ１４２において、制御部３１は、起動モード選択時間は終了したと判断した場合（ステップＳ１４２：Ｙｅｓ）、制御部３１は、自機器２を第２の起動モードで起動させる（ステップＳ１９０）。そして、図５に示すフローチャートは終了する。
【００４９】
（第３の実施形態）
以下、本発明の第３の実施形態について説明する。本発明の第３の実施形態による電子機器３は、表示部１０、検出部２０、制御部３２、及び、電源部９０を備える。また、電子機器３は、記憶部、及び、操作ボタン類等を備える。即ち、電子機器３は、第１の実施形態による電子機器１が備える制御部３０に代えて制御部３２を備える点が異なる。以下、上記差異部分を説明する。
【００５０】
検出部２０の検出モードには、上述の如く第１の検出モードと第２の検出モードとがあるが、制御部３２は、第１の検出モードで所定の接触状態を検出させるように検出部２０を制御する。従って、検出部２０は、電源投入後（具体的には検出開始後）に表示画面１００に指が始めて接触した場合には当該接触を検出するが、電源投入前（具体的には検出開始前）から表示画面１００に指が接触し続けている場合には当該接触を検出しない（例えば、検出部２０は、図４（ｂ）の接触を検出するが、図４（ｃ）の接触は検出しない）。
【００５１】
つまり、制御部３２は、電源投入後に形成された（作られた）所定の接触状態を検出部２０からの通知によって認識した場合に、第２の起動モードで自機器３を起動させる。一方、制御部３２は、認識しなかった場合には、第１の起動モードで自機器３を起動させる。
【００５２】
また、制御部３２は、第１の起動モードで自機器３を起動させるときは、第１の検出モードで動作するように検出部２０を制御する。一方、制御部３２は、第２の起動モードで自機器３を起動させるときは、自機器３の動作の解析に好適な第２の検出モードで動作するように検出部２０を制御する。つまり、制御部３２は、検出部２０の検出モードを第１の検出モードから第２の検出モードに切り替える。
【００５３】
図６は、電子機器３の処理の流れを示すフローチャートの一例である。なお、図６に示すフローチャートは電源投入によって開始する。制御部３２は、検出部２０の検出モードを第１の検出モードに設定する（ステップＳ２１０）。制御部３２は、表示画面１００における所定の接触状態が検出部２０によって検出されたか否かを判断する（ステップＳ２２０）。
【００５４】
ステップＳ２２０において、制御部３２は、所定の接触状態が検出部２０によって検出されていないと判断した場合（ステップＳ２２０：Ｎｏ）、起動モード選択時間は終了（経過）したか否かを判断する（ステップＳ２４０）。ステップＳ２４０において、制御部３２は、起動モード選択時間は終了していないと判断した場合（ステップＳ２４０：Ｎｏ）、ステップＳ２２０に戻る。
【００５５】
一方、ステップＳ２２０において、制御部３２は、所定の接触状態が検出部２０によって検出されたと判断した場合（ステップＳ２２０：Ｙｅｓ）、自機器３を起動させる起動モードとして第２の起動モードを決定する（ステップＳ２３０）。ステップＳ２３０に続いて、制御部３２は、起動モード選択時間は終了（経過）したか否かを判断する（ステップＳ２４２）。ステップＳ２４２において、制御部３２は、起動モード選択時間は終了していないと判断した場合（ステップＳ２４２：Ｎｏ）、ステップＳ２４２に戻る。
【００５６】
ステップＳ２４０において、制御部３２は、起動モード選択時間は終了したと判断した場合（ステップＳ２４０：Ｙｅｓ）、制御部３２は、自機器３を起動させる起動モードとして第１の起動モードを決定する（ステップＳ２５０）。ステップＳ２５０に続いて、制御部３２は、自機器３を第１の起動モードで起動させる（ステップＳ２７０）。そして、図６に示すフローチャートは終了する。
【００５７】
ステップＳ２４２において、制御部３２は、起動モード選択時間は終了したと判断した場合（ステップＳ２４２：Ｙｅｓ）、制御部３２は、検出部２０の検出モードを第１の検出モードから第２の検出モードに切り替えるように制御する（ステップＳ２８０）。ステップＳ２８０に続いて、制御部３２は、自機器３を第２の起動モードで起動させる（ステップＳ２９０）。そして、図６に示すフローチャートは終了する。
【００５８】
以上、本発明の実施形態による電子機器１、２、３について説明したが、所定の接触状態は、図４（ａ）に示した接触状態（即ち、表示画面１００の上下左右に４分割した各分割領域１００−１、１００−２、１００−３、１００−４上に対する１点ずつの接触状態）に限定されない。所定の接触状態は、図４（ａ）に例示したもののほか、意図した操作者によってのみ形成される接触状態であって意図しない操作者によって偶然に形成され難い接触状態であればよい。
【００５９】
以上、本発明の実施形態による電子機器１、２、３は、他の機器、及び、本体のハードキーを用いずに表示画面１００への接触によって解析モード（第２の起動モード）で起動させることが可能である。一方、電子機器１、２、３を解析モードで起動させる際には、意図した操作者によってのみ形成される接触状態であって意図しない操作者によって偶然に形成され難い接触状態となるように表示画面１００に触れる必要があるため、操作者が意図しない場合には容易には解析モードで起動されないようになっている。
【００６０】
なお、本発明の実施形態による電子機器１、２、３の動き認識部３０の処理を実行するためのプログラムをコンピュータ読み取り可能な記録媒体に記録して、当該記録媒体に記録されたプログラムをコンピュータシステムに読み込ませ、実行することにより、本発明の実施形態による電子機器１、２、３に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フロッピー（登録商標）ディスク、光磁気ディスク、ＳＤカード、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００６２】
以上、この発明の実施形態について図面を参照して詳述してきたが、具体的な構成はこの実施形態に限られるものではなく、この発明の要旨を逸脱しない範囲の設計等も含まれる。
【符号の説明】
【００６３】
１、２、３…電子機器、１０…表示部、２０、２１…検出部、３０、３１、３２…制御部、９０…電源部、１００…表示画面
【図１】
0005861421.tif 000002
【図２】
0005861421.tif 000003
【図３】
0005861421.tif 000004
【図４】
0005861421.tif 000005
【図５】
0005861421.tif 000006
【図６】
0005861421.tif 000007